(57)【要約】【課題】耐震壁材と建築物等の基礎、土台、柱、梁、桁等との固定個所を補強して、地震、台風等の際に強大な力が作用しても、耐震壁材が剥離したり、土台、梁、桁等がずれたり、柱等が逸脱したりすることのないようにする。【解決手段】耐震壁材１と基礎３、土台４、柱５、梁６、桁等との固定個所に強化繊維８を配向させた補強シート７を貼着させ、耐震壁材１の補強構造を構成する。補強シート７は、強化繊維８を直交配向させたものであって、強化繊維８の配向方向が水平方向、垂直方向に対して３０〜６０°となるように貼着する。【選択図】　　　　　図２
2004084404.tif 000002
【特許請求の範囲】
【請求項１】
木造建築物、構築物等を補強するために、木造建築物、構築物等の基礎、土台、柱、梁、桁等に固定する耐震壁材と、基礎、土台、柱、梁、桁等との固定個所を補強する構造であって、耐震壁材と基礎、土台、柱、梁、桁等との固定個所に強化繊維を配向させた補強シートを貼着させてなる耐震壁材の補強構造。
【請求項２】
前記補強シートは、強化繊維を直交配向させたものであって、強化繊維の配向方向が水平方向、垂直方向に対して３０〜６０°となるように貼着したことを特徴とする請求項１に記載の耐震壁材の補強構造。
【請求項３】
前記補強シートとして、強化繊維を直交配向させた第１の補強シートと、強化繊維を一軸配向させた第２の補強シートとを使用し、第１の補強シートは、強化繊維の配向方向が水平方向、垂直方向に対して３０〜６０°となるように貼着し、第２の補強シートは、強化繊維の配向方向が垂直方向と略同一方向となるように貼着したことを特徴とする請求項１に記載の耐震壁材の補強構造。
【請求項４】
前記第２の補強シートを貼着した上に、前記第１の補強シートを貼着したことを特徴とする請求項３に記載の耐震壁材の補強構造。
【発明の詳細な説明】
【０００１】
【発明の属する技術分野】
本発明は、木造建築物、構築物等において地震、台風等の外力により強い振動が負荷された場合にも、柱、梁、桁等が逸脱又は損壊して、木造建築物、構築物等が倒壊するのを防止することができる耐震壁材を、さらに補強する耐震壁材の補強構造に関する。
【０００２】
【従来の技術】
従来、木造建築物、構築物等の構造材を補強する方法として、筋交いや火打梁等を配設したり、土台と柱、柱と梁等の接合部に補強金具を固定したりする方法が採用されている。ここで、補強金具を固定する方法は、接合部において柱、梁等が逸脱するのを防止するために採用されており、例えば、金属製板材をＬ型に折り曲げたＬ型金具を土台と柱の接合部の角隅部に配置し、ボルト、木螺子、釘等を用いて固定する方法、金属製板材をＴ型に切り欠いたＴ型金具を土台と柱の接合部の外側面に当接し、ボルト、木螺子、釘等を用いて固定する方法等が採用されている。
又、木造建築物、構築物等の構造材を補強する方法として、大面積の鋼製板材を外壁面全体を覆うように配設し、土台、柱、梁、桁にボルト、木螺子、釘等を用いて固定する方法も採用されており、この方法によれば、大面積で外力を受けることができるので、強固に補強することができる。
【０００３】
【発明が解決しようとする課題】
しかし、Ｌ型金具やＴ型金具を土台と柱、柱と梁等の接合部に固定する方法は、土台と柱等の接合部に過大な外力がかかった場合に、金具自体が破断してしまったり、金具を固定するボルト、木螺子、釘等が外れて金具が離反してしまったりして、補強効果を奏しなくなってしまうこともあった。
一方、大面積の鋼製板材を外壁面全体に覆うように配設する場合は、施工時に多大な労力と時間が必要であり、施工費用も高額となった。
【０００４】
そこで、本発明者は、上記従来における問題点を解消すべく、特願２００１−１６７２６１号において、建築物、構築物の基礎、土台、梁、桁等に渡る長さを有する板材からなる耐震壁材を提案した。
耐震壁材１は、図１に示すように、鉄鋼材料等からなる略長方形状を呈する板材であって、挿通孔２にボルト、木螺子、釘等の締結部材を挿通し、建築物、構築物の基礎３、土台４、柱５、梁６、桁等に固定する。
【０００５】
【発明が解決しようとする課題】
しかし、上記耐震壁材１を使用した場合であっても、耐震壁材と建築物、構築物の基礎、土台、柱、梁、桁等との固定個所では、地震、台風等の際に垂直方向及び水平方向に強大な力が作用するため、耐震壁材１が剥離したり、土台、梁、桁等がずれたり、柱等が逸脱したりする虞れがある。
【０００６】
本発明は、かかる問題点に鑑みて為されたものであり、その目的とするところは、耐震壁材と建築物、構築物の基礎、土台、柱、梁、桁等との固定個所を十分に補強して、地震、台風等の際に垂直方向及び水平方向に強大な力が作用しても、耐震壁材が剥離したり、土台、梁、桁等がずれたり、柱等が逸脱したりすることのない耐震壁材の補強構造を提供することにある。
【０００７】
【課題を解決するための手段】
上記目的を達成すべく、本発明は、耐震壁材と基礎、土台、柱、梁、桁等との固定個所に強化繊維を配向させた補強シートを貼着させて、耐震壁材の補強構造を構成したものである。
【０００８】
前記補強シートは、強化繊維を直交配向させたものであって、強化繊維の配向方向が水平方向、垂直方向に対して３０〜６０°となるように貼着することを特徴とする。
【０００９】
又、前記補強シートとして、強化繊維を直交配向させた第１の補強シートと、強化繊維を一軸配向させた第２の補強シートとを使用し、第１の補強シートは、強化繊維の配向方向が水平方向、垂直方向に対して３０〜６０°となるように貼着し、第２の補強シートは、強化繊維の配向方向が垂直方向と略同一方向となるように貼着することを特徴とする。
【００１０】
ここで、前記第２の補強シートを貼着した上に、前記第１の補強シートを貼着するのが好ましい。
【００１１】
【発明の実施の形態】
以下、本発明の耐震壁材の補強構造の好適な実施形態について、図面を参照して具体的に説明する。
【００１２】
耐震壁材１は、図１に示すように、鉄鋼材料等からなる略長方形状を呈する板材であって、周辺部には基礎３、土台４、柱５、梁６、桁等に固定するための挿通孔２を穿設してある。
そして、例えば、図１に示すように、挿通孔２にボルト、木螺子、釘等の締結部材を挿通し、耐震壁材１の周辺部を土台４、柱５、梁６に当接、固定して、耐震壁材１を装着する。
【００１３】
本発明の耐震壁材の補強構造は、耐震壁材１と基礎３、土台４、柱５、梁６、桁等との固定個所を補強するものであって、図２に示すように、固定個所に補強シート７を貼着させてなる。
補強シート７は、図２に示すように、強化繊維８を直交配向させたものに、合成樹脂９を含浸させてシート状としたものである。ここで、強化繊維８としては、ガラス繊維、無機繊維、有機繊維、炭素繊維、金属繊維等を採用することができるが、特には、炭素繊維を採用するのが好ましい。
【００１４】
耐震壁材１と土台４、柱５、梁６との固定個所においては、図２に示すように、基礎３、土台４、柱５、耐震壁材１に渡って補強シート７を貼着するようにし、基礎３への貼着幅をより大きくするのが好ましい。
そして、強化繊維８の配向方向が土台４の軸方向、柱の軸方向、すなわち、水平方向、垂直方向に対して３０〜６０°、特には４５°となるように貼着するのが好ましい。
【００１５】
かかる耐震壁材の補強構造によれば、土台４に水平方向に外力が付加され、柱５に水平方向及び垂直方向に外力が付加され、強化繊維８に引張応力が発生することなるが、強化繊維８の配向方向が水平方向、垂直方向に対して３０〜６０°、特には４５°となっているから、水平方向、垂直方向、何れの方向に対しても効果的に抗力を発生し得る。
よって、地震、台風等の際に垂直方向及び水平方向に強大な力が作用しても、耐震壁材１が剥離したり、土台４、梁６、桁等がずれたり、柱５等が逸脱したりすることはない。
【００１６】
図３に示す耐震壁材の補強構造は、耐震壁材１と基礎３、土台４、柱５との固定個所に、上記補強シート７に加えて補強シート１０をも貼着させてなるものである。
補強シート１０は、図３に示すように、強化繊維１１を一軸配向させたものに、合成樹脂１２を含浸させてシート状としたものである。上記同様、強化繊維１１としては、ガラス繊維、無機繊維、有機繊維、炭素繊維、金属繊維等を採用することができるが、特には、炭素繊維を採用するのが好ましい。
【００１７】
耐震壁材１と土台４、柱５、梁６との固定個所においては、図３に示すように、基礎３、土台４、柱５、耐震壁材１に渡って補強シート７，１０を貼着するようにし、補強シート７は、基礎３への貼着幅をより大きくするのが好ましい。
耐震壁材１と土台４、柱５、梁６との固定個所に補強シート７，１０を貼着する手順としては、補強シート１０を貼着した後、補強シート７をその上に被覆して貼着するようにする。
【００１８】
先ず、図４（Ａ）に示すように、補強シート１０を、強化繊維１１の配向方向が柱５の軸方向、すなわち、垂直方向に対して略同一方向となるように位置させ、貼着幅が柱５の幅以上となるように基礎３、土台４、柱５に渡って貼着する。次に、図４（Ｂ）に示すように、補強シート７を、強化繊維８の配向方向が土台４の軸方向、柱５の軸方向、すなわち、水平方向、垂直方向に対して３０〜６０°、特には４５°となるように位置させ、補強シート１０の上に被覆させ、基礎３への貼着幅をより大きくするように、基礎３、土台４、柱５に渡って貼着する。
【００１９】
かかる耐震壁材の補強構造によれば、補強シート７による作用、効果に加えて、補強シート１０の強化繊維１１の配向方向が垂直方向に対して略同一となっているから、柱５に付加される垂直方向の外力に対しては、補強シート１０の強化繊維１１に引張応力が発生し、効果的に抗力を発生し得る。
よって、上述した図２に示す耐震壁材の補強構造に比較して、より効果的な補強が可能となり、地震、台風等の際に垂直方向及び水平方向に強大な力が作用しても、耐震壁材１が剥離したり、土台４、梁６、桁等がずれたり、柱５等が逸脱したりすることはない。
【００２０】
図３に示す耐震壁材の補強構造においては、補強シート１０の上に被覆して補強シート７を貼着したが、補強シート７の上に被覆して補強シート１０を貼着することもできる。但し、柱５に付加される垂直方向の外力に対する補強シート１０の強化繊維１１による抗力は、少々低下する可能性がある。
【図面の簡単な説明】
【図１】耐震壁材を木造建築物等に装着した状態の（Ａ）は正面図、（Ｂ）はＢ−Ｂ線断面図である。
【図２】耐震壁材と木造建築物等の基礎、土台、柱との固定個所に補強シートを貼着した状態を示す一実施例の正面図である。
【図３】耐震壁材と木造建築物等の基礎、土台、柱との固定個所に補強シートを貼着した状態を示す他実施例の正面図である。
【図４】耐震壁材と木造建築物等の基礎、土台、柱との固定個所に補強シートを貼着する手順を示す正面図である。
【符号の説明】
１　耐震壁材
３　基礎
４　土台
５　柱
６　梁
７　補強シート
８　強化繊維
１０　補強シート
１１　強化繊維
【図１】
2004084404.tif 000003
【図２】
2004084404.tif 000004
【図３】
2004084404.tif 000005
【図４】
2004084404.tif 000006